(57)【要約】【課題】基地局装置から移動端末装置に対して同報チャネルを用いてコンテンツを配信するにあたり、エリア毎に異なるコンテンツを提供するようなユーザ指向の強いサービスを提供する。【解決手段】基地局装置から移動端末装置に対して同報チャネルを用いてコンテンツを配信する方法において、コンテンツのデータは、移動端末装置から基地局装置に対して上りの同報チャネルを用いて送信される。【選択図】  図１１
2004363896.tif 000002
【特許請求の範囲】
【請求項１】
基地局装置から移動端末装置に対して同報チャネルを用いてコンテンツを配信する方法において、
前記コンテンツのデータは、前記移動端末装置から前記基地局装置に対して上りの同報チャネルを用いて送信されることを特徴とする移動通信システムの通信方法。
【請求項２】
複数の移動端末装置から送信されたコンテンツのデータが衝突したか否かを表す衝突制御データを前記基地局装置から前記移動端末装置に対して通知することを特徴とする請求項１記載の移動通信システムの通信方法。
【請求項３】
前記コンテンツのデータを前記移動端末装置から前記基地局装置に対して上りの同報チャネルを用いて送信する際に、前記基地局装置から前記移動端末装置に対して認証要求を行うことを特徴とする請求項１記載の移動通信システムの通信方法。
【請求項４】
前記認証要求及び前記認証要求に対する認証応答を前記同報チャネル以外のチャネルを用いて行うことを特徴とする請求項１記載の移動通信システムの通信方法。
【請求項５】
移動端末装置に対して同報チャネルを用いてコンテンツを配信する基地局装置において、
アンテナを介して前記移動端末装置と信号の送受信を行なう無線通信部と、
前記無線通信部で受信した受信信号から上りのチャネルのデータを分離する分離部と、
前記上りのチャネルのデータから上りの同報チャネルのデータを含む各チャネルのデータを取り出す通信処理部と、
取り出された前記上りの同報チャネルのデータからコンテンツのデータを取り出して、コンテンツ記憶部に送るコンテンツ制御部と、
前記コンテンツのデータを記憶する前記コンテンツ記憶部と、
を備えることを特徴とする基地局装置。
【請求項６】
前記コンテンツ記憶部に蓄えられているコンテンツのデータは、複数のブロックに分割して蓄えられ、一回の更新によりブロック単位で更新されることを特徴とする請求項５記載の基地局装置。
【請求項７】
前記コンテンツ記憶部に蓄えられているコンテンツのデータは、第１および第２のバッファメモリから成るダブルバッファメモリで管理され、配信対象となっていない前記第１のバッファメモリの内容が更新対象とされ、更新動作を完了すると、配信対象であった前記第２のバッファメモリの内容が更新対象とされると共に前記第１のバッファメモリの内容が配信対象とされることを特徴とする請求項５記載の基地局装置。
【請求項８】
前記コンテンツ記憶部に蓄えられているコンテンツのデータを更新するにあたり、更新要求のある移動端末装置に対して認証要求を行い、妥当な認証応答を行った前記端末装置から送られるコンテンツのデータを更新対象として前記コンテンツ記憶部に記憶することを特徴とする請求項５記載の基地局装置。
【請求項９】
コンテンツのデータを基地局装置に対して上りの同報チャネルを用いて送信するにあたり、
前記基地局装置から送られた認証要求に対し、前記同報チャネル以外のチャネルを用いて前記基地局装置に認証応答を行うことを特徴とする移動端末装置。
【請求項１０】
コンテンツのデータを基地局装置に対して上りの同報チャネルを用いて送信するにあたり、
複数の移動端末装置から送信されたコンテンツのデータが衝突したか否かを検出するために、前記基地局装置から送られる衝突制御データを参照することを特徴とする移動端末装置。
【発明の詳細な説明】
【０００１】
【発明の属する技術分野】
本発明は、コンテンツの配信に同報チャネルを用いる移動通信システムの通信方法、基地局装置および移動端末装置に関する。
【０００２】
【従来の技術】
移動通信システムの高機能化に伴い、文字、音楽、画像など素材、およびこれら素材の組み合わせからなる各種のコンテンツの配信機能を有する移動通信システムが普及してきている。このようなシステムでは、多数の端末に対してコンテンツを配信するために、同報配信専用のチャネルを設ける技術が知られている。
【０００３】
例えば、特許文献１では、所定のタイムスロットを使用して放送専用のチャネルを形成し、その放送チャネルを介して放送データを送信することで複数の移動局に対して放送データを一斉に伝送する技術を開示している。
【０００４】
また、特許文献２では、複数の移動通信端末から特定のコンテンツに対して配信要求が集中した場合に、端末が在圏する無線ゾーンを形成する基地局毎に無線チャネルを設定し、これを用いて同報的にコンテンツを配信する技術を開示している。
【０００５】
【特許文献１】
特開２０００−２２４６４８号公報（第８図）
【特許文献２】
特開２００２−５１００６号公報（第８図）
【０００６】
【発明が解決しようとする課題】
従来のコンテンツを配信する技術では、同報用のチャネルを用いてコンテンツを配信することが開示されている。しかし、ユーザ自身が独自に作成したコンテンツを端末側から送信して更新するようなコンテンツ情報を基地局単独で格納・管理する構成とはなっていない。したがって、エリア毎に異なるコンテンツを提供するような、よりユーザ指向の強いサービスを提供できないという課題がある。
【０００７】
したがって、本発明は、ユーザ自身が独自に作成した基地局毎に異なるコンテンツを提供するための移動通信システムの通信方法、基地局装置および移動端末装置を提供することを目的とする。
【０００８】
【課題を解決するための手段】
本発明の移動通信システムの通信方法としては、第１の視点によれば、基地局装置から移動端末装置に対して同報チャネルを用いてコンテンツを配信する方法が提供される。この方法において、コンテンツのデータは、移動端末装置から基地局装置に対して上りの同報チャネルを用いて送信される。なお、本発明において、コンテンツとは、文字情報（符号、記号等を含む）、音楽その他の音声情報、図形ないし画像（動画、静止画を含む）等の視覚情報、その他情報素材、及びこれら情報素材の組み合わせからなる情報（デジタルコンテンツとも言う）を言う。
【０００９】
本発明において好ましくは、複数の移動端末装置から送信されたコンテンツのデータが衝突したか否かを表す衝突制御データを基地局装置から移動端末装置に対して通知してもよい。
【００１０】
また、本発明において好ましくは、コンテンツのデータを移動端末装置から基地局装置に対して上りの同報チャネルを用いて送信する際に、基地局装置から移動端末装置に対して認証要求を行ってもよい。
【００１１】
さらに、本発明において好ましくは、認証要求及び認証要求に対する認証応答を同報チャネル以外のチャネルを用いて行ってもよい。
【００１２】
本発明の基地局装置としては、第２の視点によれば、移動端末装置に対して同報チャネルを用いてコンテンツを配信する基地局装置が提供される。アンテナを介して移動端末装置と信号の送受信を行なう無線通信部を備える。また、無線通信部で受信した受信信号から上りのチャネルのデータを分離する分離部を備える。さらに、上りのチャネルのデータから上りの同報チャネルのデータを含む各チャネルのデータを取り出す通信処理部を備える。また、取り出された上りの同報チャネルのデータからコンテンツのデータを取り出して、コンテンツ記憶部に送るコンテンツ制御部を備える。さらに、コンテンツのデータを記憶するコンテンツ記憶部を備える。
【００１３】
本発明において好ましくは、コンテンツ記憶部に蓄えられているコンテンツのデータは、複数のブロックに分割して蓄えられ、一回の更新によりブロック単位で更新されるようにしてもよい。
【００１４】
また、本発明において好ましくは、コンテンツ記憶部に蓄えられているコンテンツのデータは、第１および第２のバッファメモリから成るダブルバッファメモリで管理され、配信対象となっていない第１のバッファメモリの内容が更新対象とされ、更新動作を完了すると、配信対象であった第２のバッファメモリの内容が更新対象とされると共に第１のバッファメモリの内容が配信対象とされるようにしてもよい。
【００１５】
さらに、本発明において好ましくは、コンテンツ記憶部に蓄えられているコンテンツのデータを更新するにあたり、更新要求のある移動端末装置に対して認証要求を行い、妥当な認証応答を行った端末装置から送られるコンテンツのデータを更新対象としてコンテンツ記憶部に記憶するようにしてもよい。
【００１６】
本発明の移動端末装置としては、第３の視点によれば、コンテンツのデータを移動端末装置から基地局装置に対して上りの同報チャネルを用いて送信する移動端末装置が提供される。送信にあたり、同報チャネル以外のチャネルを用い、基地局装置から送られた認証要求に対して基地局装置に認証応答を行うよう構成される。
【００１７】
本発明の移動端末装置としては、第４の視点によれば、コンテンツのデータを移動端末装置から基地局装置に対して上りの同報チャネルを用いて送信する移動端末装置が提供される。送信にあたり、複数の移動端末装置から送信されたコンテンツのデータが衝突したか否かを検出するために、基地局装置から送られる衝突制御データを参照するよう構成される。
【００１８】
【発明の実施の形態】
以下、本発明の実施形態を添付図面に基づいて説明する。図１は、本発明の実施形態に係る移動通信システムを示すブロック図である。図１において、基地局装置１０は、通信可能範囲２５に在圏する移動端末装置３０と各種チャネルを有する無線通信回線２０を介して通信がなされる。各種チャネルには、情報チャネル、制御チャネル、同報チャネルなどが存在する。情報チャネルは、ユーザ情報を転送するもので、通話信号やファクシミリ信号などが送受される。制御チャネルは、移動端末装置３０の位置情報、発着呼情報等の制御情報が送受される。同報チャネルは、基地局装置１０と通信可能範囲２５に在圏する移動端末装置３０との間で１：Ｎの通信を行うためのチャネルであって、各種のコンテンツの情報が送受される。
【００１９】
図２は、本発明の実施形態に係る基地局装置の構成を示すブロック図である。図２において、基地局装置１０は、アンテナ１１、無線通信部１２、合成部１３、分離部１４、通信処理部１５、通信装置１６、接続制御部１７、コンテンツ制御部１８、コンテンツ記憶部１９を備える。無線通信部１２は、アンテナ１１を介して移動端末装置３０と無線通信を行う。受信信号として移動端末装置３０から送られる情報は、分離部１４において各種チャネル毎の情報に分離され、分離された情報は通信処理部１５で処理される。移動端末装置３０から送られるコンテンツの情報は、コンテンツ制御部１８に送られ、コンテンツ記憶部１９に記憶される。
【００２０】
接続制御部１７は、移動端末装置３０の位置情報、発着呼情報等に基づき、移動端末装置３０と基地局装置１０との間の接続制御を実行する。通信装置１６は、基地局装置１０と他の基地局装置あるいは有線通信回線等との接続を行い、通話情報およびコンテンツ情報の授受がなされる。接続制御部１７により接続制御された移動端末装置３０と基地局装置１０との間の情報は、通信処理部１５で処理される。コンテンツ記憶部１９に記憶されているコンテンツのデータは、コンテンツ制御部１８によって制御され、通信処理部１５を介して、合成部１３で各種チャネル毎の情報と合成され、チャネルを形成して無線通信部１２に送信信号として送られる。この時、コンテンツのデータが１：Ｎ通信の対象である場合には、コンテンツのデータは、在圏する移動端末装置３０に対して同報チャネルを使って送信される。
【００２１】
同報チャネルにおける上り方向の信号（移動端末装置３０から基地局装置１０への信号）は、在圏する移動端末装置３０がコンテンツデータを基地局装置１０へ登録するために用いられる。また、同報チャネルにおける下り方向の信号（基地局装置１０から移動端末装置３０への信号）は、基地局装置１０が有するコンテンツデータを在圏する移動端末装置３０へ同報配信するために用いる。コンテンツデータの更新は、移動端末装置３０、他の移動局装置、あるいは網に存在するコンテンツ・サーバ等より基地局装置１０へコンテンツデータを送信し、基地局装置１０においてコンテンツデータの蓄積・更新が行なわれる。
【００２２】
図３は、本発明の実施形態に係る移動端末装置の構成を示すブロック図である。図３において、移動端末装置３０は、アンテナ３１、アンテナ共用部３２、送信部３３、受信部３４、信号処理部３５、音声出力部３６、音声入力部３７、制御部３８、表示部３９、情報入力部４０を備える。アンテナ３１を介し、アンテナ共用部３２から入力された信号は、受信部３４で受信信号として復号され、信号処理部３５で受信信号に含まれる各種の情報が処理される。同報チャネルを使って受信されるコンテンツ等の中の音声情報は、音声出力部３６に出力され、表示情報は、制御部３８を介して表示部３９に表示される。なお、コンテンツの情報は、必要に応じて制御部３８内に蓄積される。
【００２３】
一方、キー入力などの情報入力部４０から入力された情報は、制御部３８を介して信号処理部３５に送られ、必要に応じて所定のチャネルを形成する。また、音声入力部３７から入力された音声情報は、信号処理部３５に送られ、所定のチャネルを形成し、送信部３３で送信信号として符号化され、アンテナ共用部３２を介し、アンテナ３１から送信される。情報入力部４０あるいは音声入力部３７から入力されたコンテンツの情報が１：Ｎ通信の対象となる情報である場合には、コンテンツの情報は、基地局装置１０に対して同報チャネルを使って送信される。
【００２４】
以上説明した移動通信システムにおいて、同報チャネルに一つのスーパーフレームを設け、複数のスーパーフレームで一つのハイパーフレームを構成し、スーパーフレームを使用してコンテンツを配信するにあたり、一つのハイパーフレーム内の複数のスーパーフレームに関連付けてコンテンツのデータを配置するように構成する。以下に、同報チャネルのフレーム構成の詳細について、さらに詳しく説明する。なお、情報チャネル、制御チャネルについては、既存のＰＤＣ（Ｐｅｒｓｏｎａｌ  Ｄｉｇｉｔａｌ  Ｃｅｌｌｕｌａｒ）方式等における移動通信システムにおいて良く知られたものであるので説明を省略する。
【００２５】
【実施例】
図４は、本発明の実施例に係る同報チャネルの構成を示す図である。移動端末装置３０と基地局装置１０との送受信を容易にするために、同報チャネルは、制御チャネルと同一のコーディング及び送受信タイミングを持つものとして説明する。図４において、下り方向（基地局装置１０から移動端末装置３０への方向）の同報チャネルは、制御チャネルと同様に、１つのスーパーフレームのタイミングで周期性を持ち、１つのコンテンツチャネルを構成する。なお、制御チャネルでは、１つのスーパーフレームは、複数のフレームから構成され、各フレームには、例えば、報知チャネル（ＢＣ）、個別セル用シグナリング・チャネル（ＳＣ）、一斉呼び出しチャネル（Ｐ）、などの既存のＰＤＣ方式等におけるチャネルが設定されている。
【００２６】
同報チャネルの１つのスーパーフレームには、ヘッダ情報とチャネルデータとから成るコンテンツチャネル情報が収容され、チャネルデータにコンテンツのデータが配置される。ヘッダ情報には、ハイパーフレーム長を表す情報、コンテンツのデータがどのスーパーフレームに関連付けて配置されているかを示す情報等が含まれている。
【００２７】
ｎ個のスーパーフレームが１つのハイパーフレームを構成し、１番目のスーパーフレームで１番目のコンテンツチャネル情報を配信し、２番目のスーパーフレームで２番目のコンテンツチャネル情報を配信する。スーパーフレームが繰り返される毎に配信されるデータは、次のコンテンツチャネルへ遷移していく。ｎ番目のスーパーフレームでｎ番目のコンテンツチャネル情報が配信され、全てのコンテンツチャネル情報が配信完了となる。その後は、もう一度最初に戻り、１番目のスーパーフレームとして１番目のコンテンツチャネル情報が配信される。
【００２８】
以上で説明したｎ個分のスーパーフレームの集合がハイパーフレームである。ハイパーフレーム長は、スーパーフレームを単位として適宜に設定及び変更可能である。ユーザへの多種多様なコンテンツを提供する場合には、ハイパーフレーム長は、なるべく大きい方が望ましい。しかし、大きすぎるとユーザからの要求に対する応答時間が長くなるのでサービス性を考慮し適宜に設定する。
【００２９】
次に、ハイパーフレームの構成について説明する。図５は、本発明の実施例に係るハイパーフレームの構成を示す図である。図５の（ａ）に示すように、１つのハイパーフレームは、番号が１〜ｎであるｎ個のスーパーフレームより構成される。ハイパーフレームを構成するコンテンツチャネルには、配置の形態に応じて４種類のチャネル（単独チャネル、連送チャネル、連結チャネル、連送連結チャネル）を設ける。１つ目の単独チャネルは、１つのスーパーフレーム番号に対し１種類のコンテンツチャネルを構成するものである。
【００３０】
２つ目の連送チャネルは、１つのスーパーフレームで１種類のコンテンツチャネルを構成するが、同一のコンテンツチャネルがハイパーフレーム内で複数の箇所に配置されるものである。例えば、図５の（ｂ）に示すように、スーパーフレーム番号１、ｎ／４＋１、ｎ／２＋１、３ｎ／４＋１の４箇所に配置される。あるいは、スーパーフレーム番号２、ｎ／２＋２の２箇所に配置される。
【００３１】
３つ目の連結チャネルは、ハイパーフレーム内で配置された複数のスーパーフレームが連結して１種類のコンテンツチャネルを構成するものである。例えば、図５の（ｃ）に示すように、スーパーフレーム番号１、ｎ／４＋１、ｎ／２＋１、３ｎ／４＋１の４箇所に配置される。あるいは、スーパーフレーム番号２、ｎ／２＋２の２箇所に配置される。あるいは、スーパーフレーム番号ｎ／４−１、ｎ／２−１、３ｎ／４−１の３箇所に配置される。
【００３２】
４つ目の連送連結チャネルは、連送チャネルと前記連結チャネルとを組み合わせたものである。すなわち、複数のフレームで連結して１種類のコンテンツチャネルを構成するが、同一のコンテンツチャネルの内容がハイパーフレーム内で複数の箇所に配置されるものである。例えば、図５の（ｄ）に示すように、コンテンツチャネルがスーパーフレーム番号１、ｎ／４＋１の２箇所に配置され、同一のコンテンツチャネルの内容がスーパーフレーム番号ｎ／２＋１、３ｎ／４＋１の２箇所にも配置される。
【００３３】
次に、より具体的なチャネル構成について説明する。図６及び図７は、本発明の実施例に係るハイパーフレーム内のチャネル構成を示す図である。図６及び図７は、ｎ＝１２８、すなわち１つのハイパーフレームが１２８個のスーパーフレームで構成される例であり、図６には、スーパーフレームの番号が１から６４までのフレーム構成を示し、図７には、スーパーフレームの番号が６５から１２８までのフレーム構成を示す。
【００３４】
スーパーフレームの番号１、２、３、４、１７、１８、１９、２０、２３、２４、２８、３１、３３、…、１２７では、それぞれ単独チャネル１、２、３、４、１７、１８、１９、２０、２３、２４、２８、３１、３３、…、１２７を構成し、それぞれに異なるコンテンツが提供される。スーパーフレームの番号５、２１、３７、５３、６９、８５、１０１、１１７では、１つの連送チャネル５を構成し、それぞれに同一のコンテンツが繰返し提供される。同様にスーパーフレームの番号６、２２、３８、５４、７０、８６、１０２、１１８では、１つの連送チャネル６を構成し、それぞれに同一のコンテンツが繰返し提供される。また、スーパーフレームの番号７、３９、７１、１０３では、１つの連送チャネル７を構成し、それぞれに同一のコンテンツが繰返し提供される。さらに、スーパーフレームの番号８、７２では、１つの連送チャネル８を構成し、それぞれに同一のコンテンツが繰返し提供される。
【００３５】
一方、スーパーフレームの番号９、２５、４１、５７、７３、８９、１０５、１２１では、８個のスーパーフレームが連結して１つの連結チャネル９（９−１、９−２、９−３、…、９−８）を構成し、それぞれのコンテンツが連結して１つのコンテンツとして提供される。同様にスーパーフレームの番号１０、２６、４２、５８、７４では、５個のスーパーフレームが連結して１つの連結チャネル１０（１０−１、１０−２、…、１０−５）を構成し、それぞれのコンテンツが連結して１つのコンテンツとして提供される。また、スーパーフレームの番号１１、４３、７５、１０７では、４個のスーパーフレームが連結して１つの連結チャネル１１（１１−１、１１−２、１１−３、１１−４）を構成し、それぞれのコンテンツが連結して１つのコンテンツとして提供される。さらに、スーパーフレームの番号１２、７６では、２個のスーパーフレームが連結して１つの連結チャネル１２（１２−１、１２−２）を構成し、それぞれのコンテンツが連結して１つのコンテンツとして提供される。また、スーパーフレームの番号２７、５９、９１、１２３では、４個のスーパーフレームが連結して１つの連結チャネル２７（２７−１、２７−２、２７−３、２７−４）を構成し、それぞれのコンテンツが連結して１つのコンテンツとして提供される。
【００３６】
また、スーパーフレームの番号１３、２９、４５、６１では、４個のスーパーフレームが連結して１つの連結チャネル１３（１３−１、１３−２、１３−３、１３−４）を構成し、それぞれのコンテンツが連結して１つのコンテンツとして提供されると共に、スーパーフレームの番号７７、９３、１０９、１２５では、４個のスーパーフレームが連結して１つの連結チャネル１３（１３−１、１３−２、１３−３、１３−４）を構成し、それぞれのコンテンツが連結して先ほどと同一の１つのコンテンツとして提供される。すなわち、同一のコンテンツが１ハイパーフレーム内で２度繰返し提供される。
【００３７】
同様に、スーパーフレームの番号１４、３０、４６では、３個のスーパーフレームが連結して１つの連結チャネル１４（１４−１、１４−２、１４−３）を構成し、それぞれのコンテンツが連結して１つのコンテンツとして提供されると共に、スーパーフレームの番号７８、９４、１１０では、３個のスーパーフレームが連結して１つの連結チャネル１４（１４−１、１４−２、１４−３）を構成し、それぞれのコンテンツが連結して先ほどと同一の１つのコンテンツとして提供される。
【００３８】
また、スーパーフレームの番号１５、４７では、２個のスーパーフレームが連結して１つの連結チャネル１５（１５−１、１５−２）を構成し、それぞれのコンテンツが連結して１つのコンテンツとして提供されると共に、スーパーフレームの番号７９、１１１では、２個のスーパーフレームが連結して１つの連結チャネル１５（１５−１、１５−２）を構成し、それぞれのコンテンツが連結して先ほどと同一の１つのコンテンツとして提供される。
【００３９】
さらに、スーパーフレームの番号１６、３２では、２個のスーパーフレームが連結して１つの連結チャネル１６（１６−１、１６−２）を構成し、それぞれのコンテンツが連結して１つのコンテンツとして提供され、スーパーフレームの番号４８、６４では、２個のスーパーフレームが連結して１つの連結チャネル１６（１６−１、１６−２）を構成し、それぞれのコンテンツが連結して先ほどと同一のコンテンツとして提供され、スーパーフレームの番号８０、９６では、２個のスーパーフレームが連結して１つの連結チャネル１６（１６−１、１６−２）を構成し、それぞれのコンテンツが連結して先ほどと同一のコンテンツとして提供され、スーパーフレームの番号１１２、１２８では、２個のスーパーフレームが連結して１つの連結チャネル１６（１６−１、１６−２）を構成し、それぞれのコンテンツが連結して先ほどと同一のコンテンツとして提供される。すなわち同一のコンテンツが１ハイパーフレーム内で４度繰返し提供される。
【００４０】
以上説明したように、１ハイパーフレーム内に配置の形態に応じて４種類のチャネル（単独チャネル、連送チャネル、連結チャネル、連送連結チャネル）を設けることで、コンテンツに応じて多様なチャネルの配置が可能となる。例えば、コンテンツのサイズとコンテンツを提供する際の即時性等を考えて使い分けをすることができる。すなわち、４種類のコンテンツチャネルについて、次に例示するような使い分けを想定することができる。単独チャネルは、待ち時間がある程度許される文字主体のコンテンツ、低速の音楽コンテンツなどに利用する。連送チャネルは、即時性を要求するコンテンツ、ユーザインタフェース用のメッセージなどに利用する。連結チャネルは、音楽、動画像などの大量のデータを持つストリーミング的なコンテンツなどに利用する。連結連送チャネルは、マンマシンインターラクティブを要求するコンテンツ、画像中心のユーザインタフェース用のメッセージなどに利用する。
【００４１】
一方、同報チャネルにおける上り方向は、通常の制御チャネルと同様に、複数の移動端末装置からのランダムアクセスが可能な構造とする。周期性を持たず、どのタイミングからでもコンテンツのデータを送信可能とする。このためデータの衝突の可能性が生じる。衝突の確率を下げるために、例えば、下りの同報チャネル内に衝突制御ビットを配置し、移動端末装置は、衝突制御ビットの情報から送信可能か否かを知り、可能であれば送信する。送信の結果を衝突制御ビットの情報から知り、衝突のため送信失敗であれば、ランダムな時間待って、再度送信を試みる。このように動作することで、移動端末装置同士からの送信データの衝突を確率的に低減することができる。なお、衝突制御ビットの配置は、下りの同報チャネル内に限定されず、同報チャネルに同期している他のチャネルに配置しても良い。
【００４２】
次に、移動端末装置３０におけるコンテンツの受信の手順について説明する。図８は、本発明の実施例における移動端末装置のコンテンツの受信手順を示すフロー図である。移動端末装置３０は、電源投入直後あるいは圏外より圏内に移行した後、ステップＳ０でスタートすると、ステップＳ１において、下りの同報チャネル中のスーパーフレームを見出し、コンテンツチャネル情報を獲得する。さらに、コンテンツチャネル情報中のヘッダ情報からハイパーフレーム長を取得する。
【００４３】
ステップＳ２において、コンテンツチャネル情報中のヘッダ情報からスーパーフレーム番号を取得する。
【００４４】
ステップＳ３において、移動端末装置３０に必要なコンテンツ番号を取得する。コンテンツ番号は、コンテンツを識別するものであって、例えば、移動端末装置３０のユーザが情報入力部４０を操作することで入力される。
【００４５】
ステップＳ４において、コンテンツ番号に対応するコンテンツを受信できるか判断し、受信できない時は、ステップＳ１４で終了する。
【００４６】
ステップＳ５において、必要なコンテンツ番号のコンテンツがどのコンテンツチャネルの形態で送られているかを、ヘッダ情報中の関連付けを表す情報から判断する。コンテンツチャネルが、単独チャネルである場合にはステップＳ１１に進み、連結チャネルである場合にはステップＳ６に進み、連送チャネルまたは連送連結チャネルの場合にはステップＳ８に進む。
【００４７】
ステップＳ６では、総連結数を取得する。
【００４８】
ステップＳ７では、連結番号を取得する。ステップＳ１１に進む。
【００４９】
ステップＳ８では、総連送数を取得する。
【００５０】
ステップＳ９では、総連結数を取得する。
【００５１】
ステップＳ１０では、連結番号を取得し、ステップＳ１１に進む。
【００５２】
ステップＳ１１では、チャネルデータを取得する。
【００５３】
ステップＳ１２では、コンテンツの受信が完了したか否かを判断し、完了したならば、ステップＳ１３において、移動端末装置３０におけるコンテンツの更新を行い、ステップＳ１４で一連の処理を終了する。また、コンテンツの受信が完了していない場合、ステップＳ１４で一連の処理を終了する。
【００５４】
次に、以上のフローにおいて移動端末装置３０で受信されるコンテンツの格納の手順について説明する。図９は、本発明の実施例における移動端末装置のコンテンツの格納手順を模式的に示す図である。コンテンツチャネルが単独チャネルまたは連送チャネルである場合には、受信されるチャネルデータは、該当するチャネルにのみ存在するので、そのまま受信済みコンテンツデータとしてコンテンツ番号に対応させて制御部３８内の所定の位置に記憶する。
【００５５】
一方、コンテンツチャネルが連結チャネルまたは連送連結チャネルである場合には、受信されるチャネルデータは、所定の数の該当するチャネルのデータを集める必要がある。したがって、チャネルデータを受信する毎に一旦テンポラリデータとして一時保管し、所定数のチャネルデータを蓄積し終わった後に受信済みコンテンツデータとしてコンテンツ番号に対応させて制御部３８内の所定の位置に記憶する。
【００５６】
以上によりコンテンツデータが更新された場合に、更新識別子をセットする。また、受信済みコンテンツデータを表示のため、あるいは不図示のキャッシュメモリなどに読み出した後に更新識別子をリセットする。
【００５７】
次に、基地局装置１０のコンテンツ記憶部１９において記憶されているコンテンツデータのデータ構造について説明する。図１０は、本発明の実施例における基地局装置において記憶されているコンテンツデータのデータ構造を示す図である。同報チャネルで送受されるコンテンツデータの管理テーブル５０は、スーパーフレーム番号１〜ｎに対応して、マッピング情報と参照ポインタとを備えている。スーパーフレーム番号ｉで送られるコンテンツデータは、参照ポインタｉにより指示されるバッファメモリ内に蓄えられているコンテンツデータｉである。バッファメモリは、バッファメモリ５１およびバッファメモリ５２から成るダブルバッファメモリであり、参照ポインタは、バッファメモリ５１またはバッファメモリ５２のいずれかの内容を指し示す。参照ポインタで指し示された側のバッファメモリ内のコンテンツデータが配信対象となり、指し示されていない側のバッファメモリ内のコンテンツデータが更新対象となる。例えば、図１０において、参照ポインタ１で指し示されるバッファメモリ５１のコンテンツデータ１、参照ポインタ２で指し示されるバッファメモリ５２のコンテンツデータ２、および参照ポインタ３で指し示されるバッファメモリ５１のコンテンツデータ３が、配信対象である。バッファメモリ５２のコンテンツデータ１、バッファメモリ５１のコンテンツデータ２、およびバッファメモリ５２のコンテンツデータ３が、更新対象である。
【００５８】
次に、コンテンツデータの更新の手順について説明する。図１１は、本発明の実施例における移動端末装置と基地局装置との間のコンテンツの更新手順を示す図である。基地局装置１０から移動端末装置３０に向けて同報チャネル（ＢＰＣＨ）の下りを介してコンテンツデータｎが送られている（ステップＳ５１）。この時、コンテンツデータｎは、バッファメモリ５１の内容が送られているとする。移動端末装置３０においてコンテンツデータｎに対する更新イベントが発生すると（ステップＳ５２）、更新内容であるコンテンツデータｎは、同報チャネル（ＢＰＣＨ）の上りを介して送られている（ステップＳ５３）。更新内容であるコンテンツデータｎは、バッファメモリ５２内のコンテンツデータｎに上書きされ、参照ポインタｎがバッファメモリ５２内のコンテンツデータｎを指し示すように書き換えられる（ステップＳ５４）。したがって、次の送信タイミングからバッファメモリ５２内の更新されたコンテンツデータｎが同報チャネル（ＢＰＣＨ）の下りを介して送られることとなり（ステップＳ５５）、更新イベントが完了する（ステップＳ５６）。
【００５９】
一方、マッピング情報には、コンテンツ番号、スーパーフレームが単独・連送・連結・連送連結のいずれかのチャネルであるかを識別する情報、総連結数、総連送数、および連結番号等の情報が含まれる。すなわち、コンテンツのデータがどのスーパーフレームに関連付けて配置されているかを示す情報が含まれる。
【００６０】
以上の説明は、単にコンテンツデータが更新される手順であるが、次に移動端末装置においてコンテンツデータを更新するにあたり、認証を必要とする場合の手順の例について説明する。図１２は、本発明の実施例における移動端末装置と基地局装置との間のコンテンツの更新手順（認証あり）を示す図である。基地局装置１０から移動端末装置３０に向けて同報チャネル（ＢＰＣＨ）の下りを介してコンテンツデータｎが送られている（ステップＳ６１）。この時、コンテンツデータｎは、バッファメモリ５１の内容が送られているとする。移動端末装置３０においてコンテンツデータｎに対する更新イベントが発生すると（ステップＳ６２）、制御チャネル（ＣＣＨ）を介して移動端末装置３０から基地局装置１０に対してコンテンツデータ更新要求を送信する（ステップＳ６３）。基地局装置１０は、移動端末装置３０に制御チャネル（ＣＣＨ）を介して認証要求を送信する（ステップＳ６４）。移動端末装置３０は、認証要求に対する認証応答を基地局装置１０に制御チャネル（ＣＣＨ）を介して送信する（ステップＳ６５）。これに対して、基地局装置１０は、移動端末装置３０に制御チャネル（ＣＣＨ）を介してコンテンツデータ登録応答を送信する（ステップＳ６６）。なお、認証応答に対して不可であるときのシーケンスは、不図示のコンテンツデータ登録不可を送信する。
【００６１】
コンテンツデータ登録応答を受信した移動端末装置３０は、更新イベント受付確認を行う（ステップＳ６７）。更新内容であるコンテンツデータｎは、同報チャネル（ＢＰＣＨ）の上りを介して送られている（ステップＳ６８）。更新内容であるコンテンツデータｎは、バッファメモリ５２内のコンテンツデータｎに上書きされ、参照ポインタｎがバッファメモリ５２内のコンテンツデータｎを指し示すように書き換えられる（ステップＳ６９）。したがって、次の送信タイミングからバッファメモリ５２内の更新されたコンテンツデータｎが同報チャネル（ＢＰＣＨ）の下りを介して送られることとなり（ステップＳ７０）、更新イベントが完了する（ステップＳ７１）。なお、更新可能なコンテンツ番号は、不正な更新を防止するため、権利を事前に登録しておき、移動局装置１０にて認識させておく必要がある。
【００６２】
次に、図１０で説明したメモリ内のコンテンツデータの構成について説明する。図１３は、本発明の実施例におけるメモリ内のコンテンツデータの構成を示す図である。図１３（ａ）では、一つのコンテンツデータが一つのブロックで構成され、更新にあたってブロック全体が一度に更新されるものである。これに対し、図１３（ｂ）では、コンテンツデータが多数のブロックで構成される。例えば、ｍ＋１個のブロックで構成され、ブロック０は非更新とし、ブロック１〜ｍが更新対象とされる。更新対象であるブロック１〜ｍでは、例えば更新日時の古いブロックが更新対象とされ、順次古いブロックから更新されるように書き換えられる。このような更新動作は、例えば、掲示板サービスなどのコンテンツデータに最適である。すなわち、掲示板に新たなコンテンツが書き加えられる毎に、最も古いコンテンツから自動的に消去されるようにすることができる。
【００６３】
なお、以上で説明したコンテンツデータは、一つの基地局装置内に配置するように説明したが、複数の基地局装置に分散し、配置してもよい。さらに、上位網又はコンテンツデータを管理する専用のサーバ装置を設けることで、より複雑な更新制御を行うことも可能である。
【００６４】
以上説明したように本発明の実施例では、同報配信によるコンテンツ配信サービスにおいて、基地局単独でコンテンツ情報を格納・管理することによりエリア毎に異なるコンテンツを提供することができる。また、ユーザ自身が独自に作成したコンテンツを更新し、配信することができる。したがって、よりユーザ指向の強いサービス、地域独自のサービスを展開することができ、コンテンツチャネルの幅広い用途が考えられる。例えば、地域商店街のバーゲン情報、時間限定のタイムサービス、及び地域限定の掲示版システム等の多目的掲示板システムに、本発明は有効である。
【００６５】
【発明の効果】
以上説明したように、本発明による移動通信システムの通信方法、基地局装置および移動端末装置は、基地局単独でコンテンツ情報を格納・管理することによりエリア毎に異なるコンテンツを提供することができる。また、ユーザ自身が独自に作成したコンテンツを更新し、配信することができる。したがって、よりユーザ指向の強いサービス、地域独自のサービスを提供することができる。
【図面の簡単な説明】
【図１】本発明の実施形態に係る移動通信システムを示すブロック図である。
【図２】本発明の実施形態に係る基地局装置の構成を示すブロック図である。
【図３】本発明の実施形態に係る移動端末装置の構成を示すブロック図である。
【図４】本発明の実施例に係る同報チャネルの構成を示す図である。
【図５】本発明の実施例に係るハイパーフレームの構成を示す図である。
【図６】本発明の実施例に係るハイパーフレーム内のチャネル構成（その１）を示す図である。
【図７】本発明の実施例に係るハイパーフレーム内のチャネル構成（その２）を示す図である。
【図８】本発明の実施例における移動端末装置のコンテンツの受信手順を示すフロー図である。
【図９】本発明の実施例における移動端末装置のコンテンツの格納手順を模式的に示す図である。
【図１０】本発明の実施例における基地局装置において記憶されているコンテンツデータのデータ構造を示す図である。
【図１１】本発明の実施例における移動端末装置と基地局装置との間のコンテンツの更新手順を示す図である。
【図１２】本発明の実施例における移動端末装置と基地局装置との間のコンテンツの更新手順（認証あり）を示す図である。
【図１３】本発明の実施例におけるメモリ内のコンテンツデータの構成を示す図である。
【符号の説明】
１０  基地局装置
１１  アンテナ
１２  無線通信部
１３  合成部
１４  分離部
１５  通信処理部
１６  通信装置
１７  接続制御部
１８  コンテンツ制御部
１９  コンテンツ記憶部
２０  無線通信回線
２５  通信可能範囲
３０  移動端末装置
３１  アンテナ
３２  アンテナ共用部
３３  送信部
３４  受信部
３５  信号処理部
３６  音声出力部
３７  音声入力部
３８  制御部
３９  表示部
４０  情報入力部
５０  管理テーブル
５１、５２  バッファメモリ
【図１】
2004363896.tif 000003
【図２】
2004363896.tif 000004
【図３】
2004363896.tif 000005
【図４】
2004363896.tif 000006
【図５】
2004363896.tif 000007
【図６】
2004363896.tif 000008
【図７】
2004363896.tif 000009
【図８】
2004363896.tif 000010
【図９】
2004363896.tif 000011
【図１０】
2004363896.tif 000012
【図１１】
2004363896.tif 000013
【図１２】
2004363896.tif 000014
【図１３】
2004363896.tif 000015